(57)【要約】【課題】出入り容易な封筒状袋体内へ入ればサウナ式の岩盤浴施設に近い状態を体感でき、袋体内中で足が楽に動かせ寝返りもできる、持ち運び可能な可搬式の温熱式岩盤浴マットの提供。【解決手段】温熱式岩盤浴マットＡは、上面に凹所１５を有する長方形の敷材１１、足側の敷材短辺に足当底辺を接合した半円形の足当１２、および短辺の縁部を足当上辺に接合し、左右の下側長辺を左右の敷材長辺に接合し、左右の上側長辺どうしをノンストップファスナーＮｆにより開閉自在に閉じ合わせた掛材１３、１４からなる封筒状袋体１と、凹所１５に配設される電熱式の岩盤発熱体２とを備えてなる。【選択図】図１
0003127319.tif 000002
【実用新案登録請求の範囲】
【請求項１】
上面に凹所を有する長方形の敷材、足側の敷材短辺に足当底辺を接合した半円形の足当、および短辺の縁部を足当上辺に接合し、左右の下側長辺を左右の敷材長辺に接合し、左右の上側長辺どうしをノンストップファスナーにより開閉自在に閉じ合わせた掛材からなる封筒状袋体と、
前記凹所に配設される電熱式の岩盤発熱体とを備えてなる温熱式岩盤浴マット。
【請求項２】
上面に凹所を有し、頭側の敷材短辺に輪状の枕入れを接合した長方形の敷材、足側の敷材短辺に足当底辺を接合した半円形の足当、および短辺の縁部を足当上辺に接合し、左右の下側長辺を左右の敷材長辺に接合し、左右の上側長辺どうしをノンストップファスナーにより開閉自在に閉じ合わせた掛材からなる封筒状袋体と、
前記凹所に配設される電熱式の岩盤発熱体とを備えてなる温熱式岩盤浴マット。
【請求項３】
上面に凹所を有し、頭側の敷材短辺に輪状の枕入れを接合した長方形の敷材、足側の敷材短辺に足当底辺を接合した半円形の足当、および短辺の縁部を足当上辺に接合し、左右の下側長辺を左右の敷材長辺に接合し、左右の上側長辺どうしをノンストップファスナーにより開閉自在に閉じ合わせた掛材からなる封筒状袋体と、
前記凹所に配設される電熱式の岩盤発熱体とを備え、
前記足当は、右足側部と左足側部とからなり、ファスナーにより、両者が開閉可能に閉じ合わされていることを特徴とする温熱式岩盤浴マット。
【請求項４】
前記封筒状袋体は、水分の内部への侵入を阻止する表面加工が施され、
前記岩盤発熱体は、タイル状に成形した放射性鉱物を含む岩盤石の上面が露出する様に、電熱線を巡らせた発熱体素材に、複数個、埋設したものを防水シートで包囲してなることを特徴とする請求項１乃至３の何れかに記載の温熱式岩盤浴マット。
【請求項５】
岩盤浴者の上半身が臨む部位は、千鳥状に前記岩盤石が配置され、前記岩盤浴者の下半身が臨む部位は、飛石状に前記岩盤石が配置されていることを特徴とする請求項４に記載の温熱式岩盤浴マット。
【請求項６】
頭部開口および前記ファスナーを開けて生じる足元開口にオゾン発生器を装着し、
温風発生器で発生させた温風を岩盤浴前に前記封筒状袋体の頭側から足側へ流すことにより、封筒状袋体内の、脱臭、殺菌、および予熱を行うことを特徴とする請求項１乃至４の何れかに記載の温熱式岩盤浴マット。
【考案の詳細な説明】
【技術分野】
【０００１】
本考案は、封筒状袋体内に岩盤発熱体を配置してなる温熱式岩盤浴マットに関する。
【背景技術】
【０００２】
特許文献１には、放射性鉱物をコンクリート台に埋め込む構造の放射線岩盤浴施設が開示されている。
特許文献２には、上面部中央にスライドファスナーを取り付けた封筒型の寝袋が開示されている。
特許文献３には、遠赤外線輻射用マットを収納し、マジックテープ（登録商標）で、上側カバー部と下側カバー部とを接合し、完全に開いた状態で出入りする遠赤外線輻射用マット付寝袋が開示されている。
特許文献４には、カプセル形の岩盤浴用装置が開示されている。
【特許文献１】特開２００６−６５０７号公報
【特許文献２】特開平９−９４１４８号公報
【特許文献３】特開平１１−２８１４１号公報
【特許文献４】実用新案登録第３１０７６６７号公報
【考案の開示】
【考案が解決しようとする課題】
【０００３】
特許文献１の放射線岩盤浴施設は、一旦、設置したら、設置場所の変更が困難である。  特許文献２は、単なる封筒型の寝袋であり、岩盤浴効果は無い。
特許文献３の遠赤外線輻射用マット付寝袋は、身動きし難いとともに、入るときにカバー部が冷たく感じる。
特許文献４の岩盤浴用装置は、岩盤浴者が柩に入る様に感じるとともに、一旦、設置したら、設置場所の変更が困難である。
【０００４】
本考案の第１の目的は、出入り容易な封筒状袋体内へ入ればサウナ式の岩盤浴施設に近い状態を体感でき、袋体内中で足が楽に動かせ寝返りもできる、持ち運び可能な可搬式の温熱式岩盤浴マットの提供にある。
【０００５】
本考案の第２の目的は、枕の位置が前後でき、出入り容易な封筒状袋体内へ入ればサウナ式の岩盤浴施設に近い状態を体感でき、袋体内中で足が楽に動かせ寝返りもできる、持ち運び可能な可搬式の温熱式岩盤浴マットの提供にある。
【０００６】
本考案の第３の目的は、枕の位置が前後でき、封筒状袋体内を早期にサウナ式の岩盤浴施設に近い状態にでき、出入り容易な袋体内中で足が楽に動かせ寝返りもできる、持ち運び可能な可搬式の温熱式岩盤浴マットの提供にある。
【課題を解決するための手段】
【０００７】
〔請求項１について〕
温熱式岩盤浴マットは、上面に凹所を有する長方形の敷材、足側の敷材短辺に足当底辺を接合した半円形の足当、および短辺の縁部を足当上辺に接合し、左右の下側長辺を左右の敷材長辺に接合し、左右の上側長辺どうしをノンストップファスナーにより開閉自在に閉じ合わせた掛材からなる封筒状袋体と、凹所に配設される電熱式の岩盤発熱体とを備えてなる。
【０００８】
電熱式の岩盤発熱体を敷材の凹所に配設し、掛材の左右の上側長辺どうしをノンストップファスナーで閉じ合わせ、岩盤発熱体に通電して封筒状袋体内を加熱する。
ノンストップファスナーを開けて封筒状袋体内に入り、ノンストップファスナーを閉める。ノンストップファスナーは、ストッパーが付いていないので、動かなくなることがなく、使い勝手が良い。
【０００９】
岩盤発熱体が発熱し、岩盤から微弱な放射線が放射されることにより、封筒状袋体内がサウナ式の岩盤浴施設に近い状態となり、岩盤浴が体感できる。
半円形の足当の足当底辺を足側の敷材短辺に接合し、掛材の左右の下側長辺を左右の敷材の敷材長辺に接合しているので、腰から足元の封筒状袋体内に空間が生じ、袋体内中で足が楽に動かせるとともに、寝返りもできる。
可搬式の温熱式岩盤浴マットは、封筒状袋体と電熱式の岩盤発熱体とからなるので、持ち運び可能である。
【００１０】
〔請求項２について〕
温熱式岩盤浴マットは、上面に凹所を有し、頭側の敷材短辺に輪状の枕入れを接合した長方形の敷材、足側の敷材短辺に足当底辺を接合した半円形の足当、および短辺の縁部を足当上辺に接合し、左右の下側長辺を左右の敷材長辺に接合し、左右の上側長辺どうしをノンストップファスナーにより開閉自在に閉じ合わせた掛材からなる封筒状袋体と、凹所に配設される電熱式の岩盤発熱体とを備えてなる。
【００１１】
電熱式の岩盤発熱体を敷材の凹所に配設し、掛材の左右の上側長辺どうしをノンストップファスナーで閉じ合わせ、岩盤発熱体に通電して封筒状袋体内を加熱する。
ノンストップファスナーを開けて封筒状袋体内に入り、ノンストップファスナーを閉める。ノンストップファスナーは、ストッパーが付いていないので、動かなくなることがなく、使い勝手が良い。
【００１２】
頭側の敷材短辺に接合した輪状の枕入れ内に枕等（タオル、枕、冷却体）を入れる。背が高い人は、枕等を入れた枕入れを敷材外へセットして頭位置を敷材外にする。
【００１３】
岩盤発熱体が発熱し、岩盤から微弱な放射線が放射されることにより、封筒状袋体内がサウナ式の岩盤浴施設に近い状態となり、岩盤浴が体感できる。
半円形の足当の足当底辺を足側の敷材短辺に接合し、掛材の左右の下側長辺を左右の敷材の敷材長辺に接合しているので、腰から足元の封筒状袋体内に空間が生じ、袋体内中で足が楽に動かせるとともに、寝返りもできる。
【００１４】
可搬式の温熱式岩盤浴マットは、封筒状袋体と電熱式の岩盤発熱体とからなるので、持ち運び可能である。
頭側の敷材短辺に輪状の枕入れを接合しているので、枕入れ内に枕等（タオル、枕、冷却体）を入れることができ、楽な姿勢で岩盤浴が楽しめる。なお、背が標準より高い人は、枕入れを敷材外へセットして頭位置を敷材外にし、普通の背の人は、枕入れを敷材内へセットして頭位置を敷材内にすることができるので、背の高低に係わらず、枕を使って楽な姿勢で岩盤浴が楽しめる。
【００１５】
〔請求項３について〕
温熱式岩盤浴マットは、上面に凹所を有し、頭側の敷材短辺に輪状の枕入れを接合した長方形の敷材、足側の敷材短辺に足当底辺を接合した半円形の足当、および短辺の縁部を足当上辺に接合し、左右の下側長辺を左右の敷材長辺に接合し、左右の上側長辺どうしをノンストップファスナーにより開閉自在に閉じ合わせた掛材からなる封筒状袋体と、凹所に配設される電熱式の岩盤発熱体とを備え、足当は、右足側部と左足側部とからなり、ファスナーにより、両者が開閉可能に閉じ合わされている。
【００１６】
電熱式の岩盤発熱体を敷材の凹所に配設し、足当の左・右足側部どうしをファスナーで閉じ合わせ、掛材の左右の上側長辺どうしをノンストップファスナーで閉じ合わせ、岩盤発熱体に通電して封筒状袋体内を加熱する。
ノンストップファスナーを開けて封筒状袋体内に入り、ノンストップファスナーを閉める。ノンストップファスナーは、ストッパーが付いていないので、動かなくなることがなく、使い勝手が良い。
【００１７】
電熱式の岩盤発熱体を敷材の凹所に配設し、掛材の左右の上側長辺どうしをノンストップファスナーで閉じ合わせ、岩盤発熱体に通電して封筒状袋体内を加熱する。
ノンストップファスナーを開けて封筒状袋体内に入り、ノンストップファスナーを閉める。
【００１８】
頭側の敷材短辺に接合した輪状の枕入れ内に枕等（タオル、枕、冷却枕）を入れる。背が高い人は、枕等を入れた枕入れを敷材外へセットして頭位置を敷材外にする。
【００１９】
岩盤発熱体が発熱し、岩盤から微弱な放射線が放射されることにより、封筒状袋体内がサウナ式の岩盤浴施設に近い状態となり、岩盤浴が体感できる。
半円形の足当の足当底辺を足側の敷材短辺に接合し、掛材の左右の下側長辺を左右の敷材の敷材長辺に接合しているので、腰から足元の封筒状袋体内に空間が生じ、袋体内中で足が楽に動かせるとともに、寝返りもできる。
【００２０】
可搬式の温熱式岩盤浴マットは、封筒状袋体と電熱式の岩盤発熱体とからなるので、持ち運び可能である。
頭側の敷材短辺に輪状の枕入れを接合しているので、枕入れ内に枕等（タオル、枕、冷却体）を入れることができ、楽な姿勢で岩盤浴が楽しめる。なお、背が標準より高い人は、枕入れを敷材外へセットして頭位置を敷材外にし、普通の背の人は、枕入れを敷材内へセットして頭位置を敷材内にすることができるので、背の高低に係わらず、枕を使って楽な姿勢で岩盤浴が楽しめる。
【００２１】
足当の左・右足側部どうしを閉じ合わせたファスナーを開けば、足当に足元開口が生じる。このため、封筒状袋体内の熱気を室内へ放出するとともに、封筒状袋体内へ室内空気を入れて冷却することができる。
【００２２】
〔請求項４について〕
タイル状に成形した岩盤石を複数個、発熱体素材に埋設して岩盤発熱体としているので、防水シートを葉巻状に巻くことができる。このため、封筒状袋体と岩盤発熱体とからなる温熱式岩盤浴マットを袋に入れて容易に移送することができる。
【００２３】
上面が露出する様に、電熱線を巡らせた発熱体素材に、放射性鉱物を含む岩盤石を埋設しているので、岩盤石上面と皮膚との距離を短くでき、岩盤石から出る微弱な放射線を効率良く身体へ当てることができる。
【００２４】
封筒状袋体には、水分の内部への侵入を阻止する表面加工が施されている。また、岩盤発熱体は、電熱線を巡らせた発熱体素材に岩盤石を埋設したものを防水シートで包囲している。このため、岩盤浴者から発汗した汗の、発熱体素材や封筒状袋体内への侵入を防止できる。
【００２５】
〔請求項５について〕
岩盤浴者の上半身が臨む部位には、千鳥状に岩盤石を配置しているので、少ない個数で、効率良く、微弱な放射線を上半身へ当てることができる。
岩盤浴者の下半身が臨む部位には、飛石状に岩盤石を配置しているので、少ない個数で、効率良く、微弱な放射線を下半身へ当てることができる。
【００２６】
〔請求項６について〕
岩盤発熱体への通電を停止し、頭部開口およびファスナーを開けて生じる足元開口にオゾン発生器を装着し、温風発生器で発生させた温風を岩盤浴前に封筒状袋体の頭側から足側へ流す。これにより、岩盤浴前に、封筒状袋体の脱臭、殺菌、および予熱を行うことができる。
【００２７】
岩盤発熱体および封筒状袋体の、脱臭、殺菌、および予熱を岩盤浴前に行えば、汗等の臭いが消え、殺菌され、封筒状袋体内が適温に温まっているので、快適に岩盤浴が楽しめる。
なお、岩盤浴後に、頭部開口およびファスナーを開けて生じる足元開口にオゾン発生器を装着し、温風発生器で発生させた空気流（温風でも可）を封筒状袋体の頭側から足側へ流せば、次回の岩盤浴に備えて封筒状袋体内を脱臭、殺菌することができる。
【考案を実施するための最良の形態】
【００２８】
温熱式岩盤浴マットは、上面に凹所を有する長方形の敷材、半円形の足当、およびノンストップファスナーにより上部を開閉自在に閉じ合わせた掛材からなる封筒状袋体と、頭が臨む敷材端部に接合した枕入れと、敷材の凹所に設置される電熱式の岩盤発熱体とを備える。
【００２９】
岩盤発熱体が発熱し、岩盤から微弱な放射線が放射されることにより、封筒状袋体内がサウナ式の岩盤浴施設に近い状態となり、岩盤浴が体感できる。
この可搬式の温熱式岩盤浴マットは、封筒状袋体と電熱式の岩盤発熱体とからなるので、持ち運び可能である。
【実施例１】
【００３０】
本考案の実施例１（請求項１〜６に対応）を図１〜図４に基づいて説明する。
各図に示す如く、温熱式岩盤浴マットＡは、敷材１１、半円形の足当１２、および掛材１３、１４からなる封筒状袋体１と、岩盤発熱体２とを備える。
【００３１】
敷材１１は、上面に凹所１５を有し、頭側の敷材短辺に輪状の枕入れ１６を接合している。なお、枕入れ１６には、通常、枕１７を入れるが、冷却用枕やタオル等を入れることもできる。また、背が高い岩盤浴者（身長が１８０ｃｍを越える）の場合には枕入れ１６を実線の位置にセットして頭位置を敷材外とし、背が普通（身長が１８０ｃｍ以下）の場合には枕入れ１６を二点鎖線の位置にセットし、頭位置を敷材内にする。
【００３２】
足当１２は、右足側部１２ａおよび左足側部１２ｂの各底辺を、敷材１１の敷材短辺（足側）に接合している。
なお、右足側部１２ａの立設辺および左足側部１２ｂの立設辺には、雄雌の係合片が設けられ、各係合片はファスナーｆにより開閉可能に閉じ合わされている。
【００３３】
右側の掛材１３は、長方形を呈し、短辺（足側）の縁部を、右足側部１２ａの足当上辺に接合し、下側長辺を敷材１１の敷材長辺（右側）に接合している。
左側の掛材１４は、長方形を呈し、短辺（足側）の縁部を、左足側部１２ｂの足当上辺に接合し、下側長辺を敷材１１の敷材長辺（左側）に接合している。
そして、左側の掛材１３の上側長辺および左側の掛材１４の上側長辺には、雄雌の係合片が設けられ、各係合片はノンストップファスナーＮｆにより開閉自在に閉じ合わせている。
【００３４】
封筒状袋体１を構成する敷材１１、足当１２、および掛材１３、１４は、各々、耐熱加工したポリエステル１００％の中空生地内に、ポリエステル樹脂綿を超音波加工により封入してなり、水分の内部への侵入を阻止するため、表面に撥水処理が施されている。
【００３５】
岩盤発熱体２は、タイル状（数ｃｍ角の正方形）に成形した放射性鉱物（ラジウム等）を含む岩盤石２１の上面が露出する様に、温度センサ付きのコードヒータ（図示せず）を巡らせたＰＶＣ製の遠赤外線不織布（発熱体素材）２２に、複数個、埋設したものを透明ビニル製の防水シート２３で包囲したものであり、敷材上面の凹所に配設される（図２、図３参照）。
【００３６】
敷材１１の寸法は、実施例１では、短辺が５０ｃｍ、長辺が１５０ｃｍの長方形である（図２参照）。
また、岩盤石２１は、岩盤浴者の上半身が臨む部位には千鳥状に配置され、岩盤浴者の下半身が臨む部位には飛石状に配置されている（図２、図３参照）。
【００３７】
ＡＣ−１００Ｖが給電される岩盤発熱体２は、封筒状袋体１内の目標温度を決める（２８℃〜５５℃）スライドボリュウム付きの温度コントローラ２０により通電制御される。  なお、岩盤発熱体２の消費電力は、７５Ｗ（Ｍａｘ時）である。
【００３８】
図５は、ノンストップファスナーＮｆを閉めた封筒状袋体１内の、脱臭、殺菌、および予熱を岩盤浴前に行っているところを示し、頭部開口１０、およびファスナーｆを開けて生じる足元開口１８にオゾン発生器３、３を装着し、温風発生器４で発生させた温風４１を封筒状袋体１の頭側から足側へ流しているところである。
オゾン発生器３は、円筒状を呈し、ＤＣ１２Ｖ−８Ｗ、オゾン発生量が１５ｍｇ／Ｈのものである。また、作動から３０分後にオフになるオフタイマーが付いている。
温風発生器４は、本実施例では家庭用の布団乾燥機であり、発生した温風４１をホース４２を介して、足元開口１８のオゾン発生器３に供給している。
【００３９】
つぎに、本考案の温熱式岩盤浴マットＡで岩盤浴を行うための作業手順を述べる。
ノンストップファスナーＮｆを全開した敷材１１の凹所１５に岩盤発熱体２を配設し（図２→図３）た後、ノンストップファスナーＮｆを閉じる（図４→図１）。
【００４０】
図５に示す様に、頭部開口１０にオゾン発生器３を装着し、ファスナーｆを開けて足元開口１８にオゾン発生器３を装着し、温風発生器４で発生した温風４１をホース４２を介して、足元開口１８のオゾン発生器３に供給する。そして、温風４１を封筒状袋体１の頭側から足側へ流して、岩盤浴前に、封筒状袋体１の脱臭、殺菌、および予熱を行う。なお、温風発生器４で予熱を行う場合には、二重の加熱を防ぐため、温度コントローラ２０をコード途中に接続した電源コード２４のプラグ２５をソケット２６から外しておく。
また、前回の岩盤浴後に、封筒状袋体１の脱臭、殺菌を充分行っており、且つ、封筒状袋体１の予熱が不要な場合には、この作業工程を省略できる。
【００４１】
封筒状袋体１の脱臭、殺菌、および予熱が終了（３０分後）したら、温風発生器４を撤去し、頭部開口１０および足元開口１８に装着したオゾン発生器３を外し、ファスナーｆを閉じ、電源コード２４のプラグ２５をソケット２６に嵌め込み、電源プラグ２７をＡＣ−１００Ｖのコンセントに差し込み、タイマーをセット（３０分または６０分）し、スライドボリュウムで目標温度をセット（２８℃〜５５℃）する。また、ノンストップファスナーＮｆも一旦、閉じておく（図１の状態）。
【００４２】
つぎに、ノンストップファスナーＮｆを開き、足から先に封筒状袋体１内へ入り、ノンストップファスナーＮｆを手前方向に引いて閉じる。なお、ノンストップファスナーＮｆを完全に閉じる前に、枕１７等を入れた枕入れ１６を頭位置にセット（実線または二点鎖線）する。
【００４３】
岩盤発熱体２が発熱し、岩盤石２１から微弱な放射線が放射されることにより、封筒状袋体１内がサウナ式の岩盤浴施設に近い状態となり、岩盤浴が満喫できる。
なお、必要に応じ、封筒状袋体１で足を動かしたり、寝返りしたりする。
【００４４】
タイムアップするか、岩盤浴を途中で中止したい場合には、ノンストップファスナーＮｆを足方向へ直接スライドさせるか、掛材１３、１４の端部１３ａ、１４ａを押し広げて、ノンストップファスナーＮｆを足方向へスライドさせる。
これにより、頭部開口１０が広がり（図４参照）、封筒状袋体１外へ出る。
【００４５】
なお、臭いが残らない様に、岩盤浴後に、頭部開口１０にオゾン発生器３を装着し、ファスナーｆを開けて足元開口１８にオゾン発生器３を装着し、温風発生器４で発生させた空気流（温風でも可）を封筒状袋体１の頭側から足側へオゾンを流して封筒状袋体１内を脱臭、殺菌するのが好ましい。また、岩盤発熱体２を外し、封筒状袋体１を洗浄して付着した汗等の汚れを洗い流しておくのが好ましい。
【００４６】
実施例１の温熱式岩盤浴マットＡは、下記の利点を有する。
岩盤発熱体２が発熱し、岩盤石２１から微弱な放射線が放射されることにより、封筒状袋体１内がサウナ式の岩盤浴施設に近い状態となり、岩盤浴が満喫できる。
【００４７】
半円形の足当１２の足当底辺を足側の敷材短辺に接合し、掛材の左右の下側長辺を左右の敷材の敷材長辺に接合しているので、腰から足元の封筒状袋体１内に空間が生じ、袋体内中で足が楽に動かせるとともに、寝返りもできる。
なお、足当１２を付けたことにより、岩盤浴者が封筒状袋体１内で足を動かしたり、寝返りしたりすることもできる。
【００４８】
温熱式岩盤浴マットＡは、タイル状に成形した岩盤石２１を複数個、遠赤外線不織布２２に埋設配置（千鳥状または飛石状）して岩盤発熱体２としているので葉巻状に巻くことができる。このため、岩盤発熱体２を封筒状袋体１へ配設した状態で、温熱式岩盤浴マットＡを袋に入れて容易に移送することができる。
【００４９】
温熱式岩盤浴マットＡは、放射性鉱物を含む岩盤石２１の上面が露出する様に、電熱線を巡らせた遠赤外線不織布２２に埋設しているので、岩盤石上面と皮膚との距離を短くでき、岩盤石２１から出る微弱な放射線を効率良く身体へ当てることができる。
なお、岩盤石２１は、岩盤浴者の上半身が臨む部位には千鳥状に配置し、岩盤浴者の下半身が臨む部位には飛石状に配置している。このため、少ない個数で、岩盤石２１からの微弱な放射線を上半身や下半身へ当てることができる。
【００５０】
封筒状袋体１には、水分の内部への侵入を阻止する表面加工が施されている。また、岩盤発熱体２は、電熱線を巡らせた遠赤外線不織布２２に岩盤石２１を埋設したものを防水シート２３で包囲している。このため、岩盤浴者から発汗した汗が、遠赤外線不織布２２の内部や、封筒状袋体１の内部へ侵入することを防止できる。
【００５１】
岩盤発熱体２への通電を停止し、頭部開口１０およびファスナーｆを開けて生じる足元開口１８にオゾン発生器３、３を装着し、温風発生器４で発生させた温風を岩盤浴前に封筒状袋体１の頭側から足側へ流せば、岩盤浴前に、封筒状袋体１の脱臭、殺菌、および封筒状袋体１の予熱を行うことができる。
【００５２】
岩盤発熱体２および封筒状袋体１の、脱臭、殺菌、および予熱を岩盤浴前に行えば、汗等の臭いが消え、殺菌され、封筒状袋体１内が適温に温まっているので、快適に岩盤浴が楽しめる。
なお、岩盤浴後に、頭部開口１０およびファスナーｆを開けて生じる足元開口１８にオゾン発生器３、３を装着し、温風発生器４で発生させた空気流（温風でも可）を封筒状袋体１の頭側から足側へ流せば、次回の岩盤浴に備えて封筒状袋体１内を脱臭、殺菌することができる。
【００５３】
頭側の敷材短辺に輪状の枕入れを接合しているので、枕入れ１６内に枕１７等（タオル、枕、冷却体）を入れることができ、楽な姿勢で岩盤浴が楽しめる。なお、背が１８０ｃｍを越える人は、枕入れ１６を敷材外へセットして頭位置を敷材外にし、１８０ｃｍ以下の普通の背の人は、枕入れ１６を敷材内へセットして頭位置を敷材内にすることができるので、背の高低に係わらず、枕１７を使って楽な姿勢で岩盤浴が楽しめる。
【００５４】
ノンストップファスナーＮｆは、ストッパーが付いていないので、ファスナーが動かなくなることがなく、温熱式岩盤浴マットＡは、使い勝手が良い。
【００５５】
本考案は、上記実施例以外に、つぎの実施態様を含む。
ａ．温熱式岩盤浴マットは、ファスナーを開けて生じる足元開口にオゾン発生器および温風発生器を装着し、温風発生器で発生させた温風を岩盤浴前に封筒状袋体の足側から頭側へ流すことにより、封筒状袋体内の、脱臭、殺菌、および予熱を行っても良い。
【００５６】
ｂ．岩盤発熱体２は、ＡＣ−１００Ｖ仕様以外に、ＤＣ−２４Ｖで動作するトラック用であっても良い。
ｃ．岩盤発熱体２の寸法は、短辺が４０ｃｍ〜９０ｃｍ、長辺が１００ｃｍ〜２００ｃｍの範囲で自由に設定できる。
・足、腰用の場合には、短辺が４０ｃｍ、長辺が１００ｃｍが好適である。
・トラック用の場合には、短辺が５０ｃｍ、長辺が１９０ｃｍが好適である。
・岩盤浴に用いる場合には、短辺が５０ｃｍ、長辺が１５０ｃｍ、短辺が５０ｃｍ〜６０ｃｍ、長辺が１６０ｃｍ、または、短辺が５０ｃｍ〜８０ｃｍ、長辺が１８０ｃｍが好適である。なお、この際、敷材１１の寸法を、短辺が７０ｃｍ、長辺が１８０ｃｍ、短辺が８０ｃｍ、長辺が１９０ｃｍ、または、短辺が９０ｃｍ、長辺が１９５ｃｍとする。
【００５７】
ｄ．岩盤発熱体２の消費電力（Ｍａｘ時）は、５０Ｗ〜２００Ｗが好適である。
【００５８】
ｅ．岩盤発熱体２の材質は、例えば、下記の材料を含む。
ＰＶＣ（塩化ビニール）
セラミック板（セラミック、砂、コンクリート、天然ミネラル成分）
遠赤外線繊維
発熱体（ポリエステル毛布、コードヒータ）
ポリエステル不織布
断熱材
【００５９】
また、封筒状袋体１は、例えば、下記の材料を含む。
超音波加工したポリエステル生地（撥水・防水加工）
超音波加工したポリエステル樹脂綿
【図面の簡単な説明】
【００６０】
【図１】実施例１に係る温熱式岩盤浴マットの傾視図である。
【図２】その温熱式岩盤浴マットにおいて、岩盤発熱体を敷材の凹所へ組み付けるところを示す説明図である。
【図３】その温熱式岩盤浴マットにおいて、岩盤発熱体を敷材の凹所へ組み付けたところを示す説明図である。
【図４】その温熱式岩盤浴マットにおいて、ノンストップファスナーを開けたところを示す傾視図である。
【図５】岩盤浴前に、封筒状袋体の脱臭、殺菌、および予熱を行っているところを示す傾視図である。
【符号の説明】
【００６１】
Ａ  温熱式岩盤浴マット
１  封筒状袋体
２  岩盤発熱体
３  オゾン発生器
１１  敷材
１２  足当
１３、１４  掛材
１５  凹所
１６  枕入れ
２３  防水シート
４１  温風
ｆ  ファスナー
Ｎｆ  ノンストップファスナー
【図１】
0003127319.tif 000003
【図２】
0003127319.tif 000004
【図３】
0003127319.tif 000005
【図４】
0003127319.tif 000006
【図５】
0003127319.tif 000007